(57)【要約】【課題】ＩＣカードを電子化された処方箋として活用し治療／薬歴情報を残すばかりでなく、診察券として利用したり、さまざまな治療／投薬に関する情報を患者側が適時得ることが可能となり、患者側の利便性や投薬の適時性や投薬の有効度が改善される。【解決手段】薬歴付き電子処方箋をＩＣカードで構成し、診察券や医師・薬剤師の書き込みが可能であり、さらには患者が本ＩＣカード単体又は携帯電話のような端末機器に接続すると投薬時間を知らせてくれたり、薬剤情報を適時得ることが可能となる薬歴付き電子処方箋システム。【選択図】　　　　図１
2004078825.tif 000002
【特許請求の範囲】
【請求項１】
治療／薬剤情報として今回の処方箋情報、投薬説明情報、医師又は／かつ薬剤師特記事項情報、過去の処方履歴情報、保険証情報のような前記治療／投薬情報を記録可能である患者用薬剤ＩＣカードを用いて本ＩＣカードの所定メモリエリアに対して医師や薬剤師が治療／薬剤情報を書き込みと読み出しを行える薬歴付き電子処方箋システムにおいて、前記患者用薬剤ＩＣカードは医師専用端末と薬剤師専用端末のみならず所定のプログラムを読み出して所定の処理を実行する制御部を有する端末機器や携帯通信機器のような個人用の汎用型端末／携帯機器とに着脱／電気的に接続可能であり、さらに本患者用薬剤ＩＣカードは前記汎用型端末／携帯機器に接続状態にて又は接続しダウンロードすることにより動作するアプリケーションプログラムとして、今回分からある過去分に遡って自身の処方箋情報を閲覧可能である薬剤情報閲覧プログラムを有する前記患者用薬剤ＩＣカードが構成する本薬歴付き電子処方箋システム。
【請求項２】
本ＩＣカードに記録された前記今回の処方箋情報に基づき今回の投薬時間になったことを報知する薬剤摂取時間報知プログラムをも有する請求項１の患者用薬剤ＩＣカードが構成する薬歴付き電子処方箋システム。
【請求項３】
前記今回の処方箋情報に付随する投薬種類／錠数、食前食後等投薬条件、一緒に飲食すると薬剤効果が低減するとういうような食べ合わせ情報、眠気のような副作用に関する情報のいくつかを前記今回の投薬時間と同時に報知する薬剤情報報知プログラムをも有する請求項２の患者用薬剤ＩＣカードが構成する薬歴付き電子処方箋システム。
【請求項４】
本患者用薬剤ＩＣカードは圧電素子やスピーカや振動素子を用いた所持者への報知手段と時計機能と蓄電機能を内蔵し、前記アプリケーションプログラムとして本ＩＣカードが前記汎用型端末／携帯機器に接続されていない単独の状態では前記報知素子を介して前記今回の処方箋情報と前記時計機能を基にして前記今回の投薬時間になったことをブザー音や音声や音楽で報知する薬剤摂取時間報知プログラムをも有する請求項１と請求項２と請求項３の患者用薬剤ＩＣカードである薬歴付き電子処方箋システム。
【請求項５】
ＩＤ番号や個人識別情報によるプライバシー保護機能を有する請求項１と請求項２と請求項３と請求項４の患者用薬剤ＩＣカードである薬歴付き電子処方箋システム。
【請求項６】
前記アプリケーションプログラムのプログラミング言語としてＪＡＶＡ（Ｒ）言語を用いる請求項１と請求項２と請求項３と請求項４と請求項５の患者用薬剤ＩＣカードである薬歴付き電子処方箋システム。
【請求項７】
診察券機能をも有する請求項１と請求項２と請求項３と請求項４と請求項５と請求項６の患者用薬剤ＩＣカードである薬歴付き電子処方箋システム。
【発明の詳細な説明】
【０００１】
【発明の属する技術分野】
本発明は、薬歴を記録してありかつ処方箋や診察券であり、さらには薬剤に関する情報を患者に対しより的確に報知し／理解を促す患者用薬剤ＩＣカードを患者が携帯するというようなＩＣカードを利用した薬歴付き電子処方箋システムに関するものである。
【０００２】
【従来の技術】
現在の医療分野では、紙の院外処方箋が発行されている場合が多く、患者の薬歴はそれぞれの医療機関に保管されている患者のカルテに記載されているか、さらには最近見受けるようになった薬剤手帳に記帳されているかである。
【０００３】
この現状一般的な紙面による処方箋や薬歴保存に対して、これまで医療関係の紙面の電子化に関する提案が多く提出されている。カルテを電子ファイル化する電子カルテに関する提案や、特開平０６−１８７３８３号公報や特開平１１−２１３０６７号公報のようなネットワーク化した院外処方箋が提案され、特開平０８−１５３１４５号公報や特開平０５−１４３６２０号公報のような携帯性とデータ保持性と汎用性のあるＩＣカードを用いて薬歴を保持可能とする電子処方箋を活用する薬剤管理システムが提案されている。
【０００４】
又近年、インターネットなどのネットワーク環境に接続されたさまざまな端末機器（携帯電話や携帯端末等）でプログラムを実行するための環境がＪＡＶＡ（Ｒ）の登場により急激に普及してきている。ＪＡＶＡ（Ｒ）言語で作成されたアプリケーションはＪＡＶＡ（Ｒ）　ＡＰＩを有する機器であればハードウエアに依存せず動作させることが可能であり、ネットワーク等から必要なときにプログラムをダウンロードして用いることができる。さらに特開２０００−１７２７９０号公報のようなＪＡＶＡ（Ｒ）環境に対応したＩＣカードに関する技術の提案が多くなされてきている。ＪＡＶＡ（Ｒ）環境に対応した端末機器とＪＡＶＡ（Ｒ）対応型ＩＣカードを組み合わせる環境においては、ネットワーク上では公開することが難しい専用性／地域性の高いプログラムをＪＡＶＡ（Ｒ）言語化してＪＡＶＡ（Ｒ）対応型ＩＣカードにメモリすることにより、ＪＡＶＡ（Ｒ）アプリケーションとメモリ情報とをＪＡＶＡ（Ｒ）環境に対応した端末機器にて実行することが可能になり、専門分野や地域に特化して汎用性が高い環境を実現することが可能である。さらに広域分野に利用することも可能である。
【０００５】
【発明が解決しようとする課題】
しかしながら、従来の医療関係の紙面をＩＣカードにして電子化する提案はほとんどが医療現場たる医院や薬剤店側の効率性／確実性向上に貢献するものが多く、患者に便利さや恩恵をもたらす提案はまだ少ない。
【０００６】
これに対して、患者側がより便利であり、かつより確実に納得して薬を使用できるように、汎用性の高いプログラム言語を用いて新機能をＩＣカードに内蔵することで、利便性や投薬適時性／納得度が向上してより患者フレンドリーな薬歴付き電子処方箋システムを提案することである。
【０００７】
【課題を解決するための手段】
前記した課題を解決する為に、本発明によるＩＣカードを用いた薬歴付き電子処方箋システムとして以下の７つの構成を提案する。
【０００８】
（１）治療／薬剤情報として今回の処方箋情報、投薬説明情報、医師又は／かつ薬剤師特記事項情報、過去の処方履歴情報、保険証情報のような治療／投薬情報を記録可能である患者用薬剤ＩＣカードを用いて本ＩＣカードの所定メモリエリアに対して医師や薬剤師が前記治療／薬剤情報を書き込みと読み出しを行える薬歴付き電子処方箋システムにおいて、前記患者用薬剤ＩＣカードは医師専用端末と薬剤師専用端末のみならず所定のプログラムを読み出して所定の処理を実行する制御部を有する端末機器や携帯通信機器のような個人用の汎用型端末／携帯機器とに着脱／電気的に接続可能であり、さらに本患者用薬剤ＩＣカードは前記汎用型端末／携帯機器に接続状態にて又は接続しダウンロードすることにより動作するアプリケーションプログラムとして、今回分からある過去分に遡って自身の処方箋情報を閲覧可能である薬剤情報閲覧プログラムを有する前記患者用薬剤ＩＣカードが構成する本薬歴付き電子処方箋システム。
【０００９】
（２）本ＩＣカードに記録された前記今回の処方箋情報に基づき今回の投薬時間になったことを報知する薬剤摂取時間報知プログラムをも有する（１）の患者用薬剤ＩＣカードが構成する薬歴付き電子処方箋システム。
【００１０】
（３）前記今回の処方箋情報に付随する投薬種類／錠数、食前食後等投薬条件、一緒に飲食すると薬剤効果が低減するとういうような食べ合わせ情報、眠気のような副作用に関する情報のいくつかを前記今回の投薬時間と同時に報知する薬剤情報報知プログラムをも有する（２）の患者用薬剤ＩＣカードが構成する薬歴付き電子処方箋システム。
【００１１】
（４）本患者用薬剤ＩＣカードは圧電素子やスピーカや振動素子を用いた所持者への報知手段と時計機能と蓄電機能を内蔵し、前記アプリケーションプログラムとして本ＩＣカードが前記汎用型端末／携帯機器に接続されていない単独の状態では前記報知素子を介して前記今回の処方箋情報と前記時計機能を基にして前記今回の投薬時間になったことをブザー音や音声や音楽で報知する薬剤摂取時間報知プログラムをも有する（１）と（２）と（３）の患者用薬剤ＩＣカードである薬歴付き電子処方箋システム。
【００１２】
（５）ＩＤ番号や個人識別情報によるプライバシー保護機能を有する（１）と（２）と（３）と（４）の患者用薬剤ＩＣカードである薬歴付き電子処方箋システム。
【００１３】
（６）前記アプリケーションプログラムのプログラミング言語としてＪＡＶＡ（Ｒ）言語を用いる（１）と（２）と（３）と（４）と（５）の患者用薬剤ＩＣカードである薬歴付き電子処方箋システム。
【００１４】
（７）診察券機能をも有する（１）と（２）と（３）と（４）と（５）と（６）の患者用薬剤ＩＣカードである薬歴付き電子処方箋システム。
【００１５】
本発明によれば、ＩＣカードを電子化された処方箋として活用し薬歴情報を残すばかりでなく、診察券として利用したり、さまざまな治療／投薬に関する情報を患者側が適時得ることが可能となり、患者側の利便性や投薬の適時性や投薬の有効度が改善される。
【００１６】
【発明の実施の形態】
（実施形態１）
以下に本発明に本発明に係る第１の実施形態について図１〜図５を用いて示す。
【００１７】
本薬歴付き電子処方箋システムにより病院・医療機関（１０１、２０２）と保険調剤薬局（１０２、２０２）と患者（１０３、２０３）との３者間を患者用薬剤ＩＣカード（以下、患者用ＩＣカードでも同じ意味とする）（１０４）にて結ぶことによってネットワークを形成している様子を図１では簡易的に模図化したものであり、図２では簡易的にフローチャート化して示している。
【００１８】
病院・医療機関（１０１、２０１）では、患者の診察／診断／治療に伴い（２０４）保険証情報、処方箋情報、薬歴情報、病歴情報、治療情報などの病院・医療情報を薬歴付き電子処方箋たる患者用ＩＣカード（１０４）に書きこみし、診察／診断／治療の為過去の病院・医療情報を読み出しする（２０５）。病院・医療機関でのすべての処理が終了すると患者用ＩＣカード（１０４）は患者に返却される（２０６）。
【００１９】
病院・医療機関（１０１、２０１）では、パソコンや電子カルテに接続された医院専用端末（１０５）とＩＣカード用リーダ／ライタ（１０６）を用いて患者用ＩＣカード（１０４）への書き込みや読み出しを行う（２０５）。
【００２０】
次に患者は患者用ＩＣカード（１０４）を所持し、適切な保険調剤薬局（１０２、２０２）を訪れる（１０７、２０７）。保険調剤薬局（１０２、２０２）では患者から患者用ＩＣカード（１０４）を受け取り（２０８）、調剤及び処方説明を行うと同時に、薬剤店専用端末（１０８）とＩＣカード用リーダ／ライタ（１０９）を用いて投薬、薬歴、特記事項等の薬剤店情報の書き込み、読み出しを行う（２０９）。患者用ＩＣカード（１０４）は処方薬渡しと同時に患者に返却される（１１０、２１０）。
【００２１】
次に患者（１０３、２０３）は処方薬と共に関連する情報が入力された患者用ＩＣカード（１０４）を手にすることになる（２１１）。患者（１０３、２０３）は患者用ＩＣカード（１０４）を装着可能な携帯通信機器（１１１）のような汎用型端末／携帯機器に装着することにより、患者用ＩＣカード（１０４）に入力されている様々な治療／投薬情報を得、今回処方された処方薬の投薬時間に通報を受けることが可能になる（２１２）。
【００２２】
次回の通院時本患者用ＩＣカード（１０４）を病院・医療機関に再度提出していくことになる（１１２、２１３）。
【００２３】
続いて患者用ＩＣカード（１０４）及び汎用型端末／携帯機器たる携帯通信機器（１１１）について、図３は患者用ＩＣカード（１０４）の構造略図（３０１）であり、図４は患者用ＩＣカード（１０４）内部の不揮発性メモリ部（３０５）のメモリ領域（４０１）を示す略図であり、図５は携帯通信機器（５０１）に患者用ＩＣカード（１０４）を装着した場合、携帯通信機器（５０１）内部回路構成の略図である。
【００２４】
代表的な患者用ＩＣカード（１０４）として、図３に示す通り携帯通信機（３０１）内部には一時データを保存する揮発性メモリ（３０２）、演算や制御を行うメインプロセッサ（３０３）とサブプロセッサ（３０４）、半永久的にデータを保存する不揮発性メモリ（３０５）、外部端末との通信と電力供給を受ける機能部（３０６）から構成される形態を簡単に紹介する。揮発性メモリは一般的にＲＡＭを用いて、不揮発性メモリとしてはＥＥＰＲＯＭ、フラッシュメモリ、ＦＲＡＭが利用可能である。プログラム等の演算や制御が複雑な場合メインプロセッサ（３０３）を補佐するのがサブプロセッサ（３０４）であるがサブプロセッサ（３０４）の有無は商品によるところである。
【００２５】
不揮発性メモリ（３０５）には、図４に示す通りいくつかのメモリ領域から構成される。カードＩＤ等が保管かれるシステム領域（４０２）、カードデータ領域（４０３）、ユーザアプリケーション領域（４０４）等であるが詳しい内容は特開２０００−１７２７９０号公報がいい一例である。今回の実施形態としてはユーザアプリケーション領域（４０４）の一部あるエリアに以下の仕様である薬剤摂取時間報知プログラム、さらには薬剤情報閲覧プログラムを最低限記憶させることを特徴とする。
【００２６】
・図４の通りデータ領域として病院・医療機関データ領域（４０５）と保険調剤薬局データ領域（４０６）と患者閲覧データ領域（４０７）とを有する。
【００２７】
・図４の患者閲覧データ領域（４０７）にある今回分からある過去分に遡って処方箋情報を患者自身が閲覧可能とするプログラム。医師や薬剤師の閲覧許可情報のみと限定されていてもよい。
【００２８】
・図５の通り汎用型端末／携帯機器たる携帯通信機器（５０１）内部の制御部（５０３）で演算される時間情報を基にして、携帯通信機器（５０１）の有するスピーカ装置（５１６）やサウンダ装置（５１０）のような報知／呼び出し手段を介して、個人閲覧データ領域にある今回の処方箋情報中、今回の投薬時間を患者に呼び出し音や音楽で知らせる機能を有する。
【００２９】
・同時に、今回の処方箋情報中、今回の処方箋情報に付随する投薬種類／錠数、食前食後等投薬条件、食べ合わせ情報、眠気等副作用のような閲覧可能な限定された情報のいくつかを、携帯通信機器（５０１）の表示部（５１２）に表示する機能を有するようにしてもよい。
【００３０】
・さらに、プライバシー保護機能やＩＤ機能を有していてもよい。
【００３１】
・さらにはプログラム言語としてＪＡＶＡ（Ｒ）言語を用いることを特徴としてもよい。
【００３２】
図５に示す通り、患者用ＩＣカード（５０４）を携帯通信機器（５０１）に接続状態で、又はプログラムをダウンロード実施し、患者用ＩＣカード（５０４）に記憶されている薬剤摂取時間報知プログラム、さらには薬剤情報閲覧プログラムを起動モードに設定しておくことにより、薬剤摂取時間報知プログラム、さらに薬剤情報閲覧プログラムはアクティブ状態となる。
【００３３】
患者用ＩＣカード（５０４）と携帯通信機器（５０１）との接続はそれぞれ端子部（５１７，５１８）とのコネクタ接続又は非接触電磁誘導コイルによる信号接続であり、電気信号と電力供給を行う。
【００３４】
もし携帯通信機器（５０１）が通話中の場合、割り込み制御を実施して電子音により薬剤摂取時間報知するプログラムを盛り込むことも可能である。
【００３５】
又、本患者用ＩＣカードに診察券機能を持たせてもよい。
【００３６】
（実施形態２）
以下に本発明に係る第２の実施形態について図６を用いて示す。
【００３７】
実施形態１で示した患者用ＩＣカードに対して圧電素子やスピーカや振動素子を用いた所持者への報知手段（６０７〜６１０）と時計機能（６０９）とバッテリ機能（６１１）とを増設し、以下の薬剤摂取時間報知プログラムを持たせることを特徴とする図６に示す装置である。
【００３８】
・本ＩＣカード単体だとしても時間情報（６０９）を基にして、本ＩＣカード（６０１）が有する圧電素子やスピーカや振動素子のような報知／呼び出し手段（６０７〜６１０）を介して、不揮発性メモリ（６０５）内の個人閲覧データ領域にある今回の処方箋情報中、今回の投薬時間を患者に対して呼び出し音や音楽で知らせる機能を有する患者用ＩＣカード。
【００３９】
又、本患者用ＩＣカードに診察券機能を持たせてもよい。
【００４０】
【発明の効果】
本発明によれば、ＩＣカードを電子化された処方箋として活用し薬歴情報を残すばかりでなく、診察券として利用したり、さまざまな治療／投薬に関する情報を患者側が適時得ることが可能となり、患者側の利便性や投薬の適時性や投薬の有効度が改善される。
【図面の簡単な説明】
【図１】本発明の第１の実施形態について、本薬歴付き電子処方箋システムにより病院・医療機関（１０１、１０２）と保険調剤薬局（１０２、２０２）と患者（１０３、２０３）との３者間を患者用薬剤ＩＣカード（１０４）にて結ぶことによってネットワークを形成している様子を簡易的に模図にしたものである。
【図２】図１を簡易的にフローチャート化した略図である。
【図３】本発明の第１の実施形態について、患者用ＩＣカード（１０４）の構造の略図（３０１）である。
【図４】本発明の第１の実施形態について、患者用ＩＣカード（１０４）内部の不揮発性メモリ部（３０５）のメモリ領域を示す略図である。
【図５】本発明の第１の実施形態について、携帯通信機器（５０１）に患者用ＩＣカード（１０４）を装着した場合、携帯通信機器（５０１）内部回路構成の略図である。
【図６】本発明の第２の実施形態について、患者用ＩＣカード（１０４）単体にて薬剤摂取時間報知機能を有する本ＩＣカード（１０４）の構造の略図（３０１）である。
【符号の説明】
５０２、６０２　ＥＥＰＲＯＭのような不揮発性メモリ
５０４　欠番
５０５、６０５　ＲＡＭのような揮発性メモリ
５０６　携帯通信機器（５０１）のキー入力部
５０７、６０７　発信回路
５０８、６０８　バイブレータのようなサウンダ部（５１０）のドライバ部。
５０９　携帯通信機器（５０１）の送受信機能部
５１０、６１０　バイブレータのようなサウンダ部（５１０）
５１１、６１１　バッテリー部
５１２　携帯通信機器（５０１）の（カラー）液晶ディスプレーのような表示部
５１３　携帯通信機器（５０１）の通信機能部
５１４　携帯通信機器（５０１）の音声処理機能部
５１５　携帯通信機器（５０１）のマイク部
５１６　携帯通信機器（５０１）のスピーカ部
５１７　携帯通信機器（５０１）の患者用ＩＣカード（５０４）との通信接続部
５１８　患者用ＩＣカード（５０４）の通信接続部
５１９　携帯通信機器（５０１）のアンテナ部
６０１　ＩＣカード単体で薬剤摂取時間報知機能付き患者用ＩＣカード
６０３　ＩＣカードのメインプロセッサ
６０４　ＩＣカードのサブプロセッサ
６０６　ＩＣカードの外部との通信部、さらにはメイン電力供給部
６０９　時計機能部
【図１】
2004078825.tif 000003
【図２】
2004078825.tif 000004
【図３】
2004078825.tif 000005
【図４】
2004078825.tif 000006
【図５】
2004078825.tif 000007
【図６】
2004078825.tif 000008